(57)【要約】      （修正有）【課題】有用なアクセサリーを袋本体に付属させ、事後に取り外して使用可能とすることで、記念品としての価値を高められるようにする。また、単なる記念に止まらず、磁石やクリップなどの実用品としての機能も併せ持つようにすることとし、さらには、贈り手の意向をより具体的に表現可能にする。【解決手段】人形、動物等から成るキャラクターやシンボルその他のモチーフに基づいて形成した、有用なアクセサリー１５を袋本体１１に付属させるものとし、上記アクセサリー１５を、前記封止手段１２の部分に、着脱可能な固定手段１３により設ける。着脱可能な固定手段１３として、磁石片や挟持用のクリップを適用可能であり、これらの固定手段が、アクセサリーを封止手段から取り外したのちに、アクセサリーを磁性体に磁気吸着させる手段又は挟まれる相手に取り付ける手段を兼ねている。【選択図】図１
0003127989.tif 000002
【実用新案登録請求の範囲】
【請求項１】
内部に紙幣等を収納する袋本体を有し、周囲を水引、帯封等の封止手段により取り巻いた構成を有する祝儀袋であって、
人形、動物等から成るキャラクターやシンボルその他のモチーフに基づいて形成した、有用なアクセサリーを袋本体に付属させるものとし、上記アクセサリーを、前記封止手段の部分に、着脱可能な固定手段により取り付けたことを特徴とするアクセサリー付き祝儀
袋。
【請求項２】
着脱可能な固定手段が、磁石片又は挟持用のクリップであり、これらの固定手段が、アクセサリーを封止手段から取り外したのちに、アクセサリーを磁性体に磁気吸着させる手段又は挟まれる相手に取り付けるための手段を兼ねている請求項１記載のアクセサリー付き祝儀袋。
【請求項３】
アクセサリーが、ネックレス、ブレスレットないし頭飾品等のリング状物品であり、封止手段は、切込みを有しており、リング状物品を封止手段に設けた切込みに掛け止め、固定するようにした請求項１記載のアクセサリー付き祝儀袋。
【考案の詳細な説明】
【技術分野】
【０００１】
本考案は、内部に紙幣等を収納する袋本体を有し、周囲を水引、帯封等の封止手段により取り巻いた構成を有するアクセサリー付きの祝儀袋に関するものである。
【背景技術】
【０００２】
祝儀袋は、様々な慶事に贈られるものであり、送り手は、様々な思いを込めて贈るのであるが、収納されている紙幣等のみ利用されて、たとえ水引が芸術的なものであっても、それ以外は廃棄されてしまい無駄となる。紙幣等を贈るための入れ物とはいえ、後に何も残らないのでは、喜びも半減である。
【０００３】
このような観点から先行技術を検討すると、例えば登録実用新案第３０２１６１５号があり、それは、神社仏閣のお守り又はお札の開運品を添えた祝儀袋を提案している。同考案は、祝儀袋に設けたポケットに開運品を入れるものであるので、ポケットを持たない普通の袋には適用することができない。
【０００４】
また、例えば登録実用新案第３０８９８１９号の考案は、祝儀袋に、再生できる貴金属や商品券、抽選券を付加したものである。しかし、再生できる貴金属となると、再生しない限り有用ではないことになり、役に立つか立たないかは不明ということになる。
【０００５】
【特許文献１】第３０２１６１５号
【特許文献２】第３０８９８１９号
【考案の開示】
【考案が解決しようとする課題】
【０００６】
本考案は前記の点に着目してなされたものであり、その課題は、有用なアクセサリーを袋本体に付属させ、事後取り外して使用可能とすることで、記念品としての価値を高められるようにすることである。また本考案の他の課題は、単なる記念に止まらず、磁石やクリップなどの実用品としての機能も併せ持つようにすることである。また本考案の他の課題は、贈り手の意向をより具体的に表現可能にすることである。
【課題を解決するための手段】
【０００７】
前記の課題を解決するため、本考案は、内部に紙幣等を収納する袋本体を有し、周囲を水引、帯封等の封止手段により取り巻いた構成を有する祝儀袋について、人形、動物等から成るキャラクターやシンボルその他のモチーフに基づいて形成した、有用なアクセサリーを袋本体に付属させるものとし、上記アクセサリーを、前記封止手段の部分に、着脱可能な固定手段により取り付けるという手段を講じたものである。
【０００８】
本考案の対象である祝儀袋は、例えば、結納、結婚、出産ないし金婚式などをはじめとして、さらには家屋の新築や栄典などの慶事その他に用いられるものにも適用することができる。この種の祝儀袋は、袋とはいうものの、いわゆる袋構造を有している必要のないことは周知のとおりであるが、周囲を水引、帯封等の封止手段により取り巻いた構成を有するものであることにおいて共通している。
【０００９】
本考案では、このような祝儀袋について、有用なアクセサリーを付属させることを特徴とする。そのアクセサリーは、人形、動物等から成るキャラクターやシンボルその他のモチーフに基づいて形成した有用なものを、袋本体に付属させる。本考案におけるアクセサリーは、平面的なものでも立体的なものでも良く、例えばキャラクターをモチーフとするデザインを有することで、魅力的なものとする。アクセサリーのデザインによって幸運をもたらすマスコットともなり、また、後述するような実用性を有することにより有用なものとなる。
【００１０】
本考案におけるアクセサリーは、着脱可能な固定手段により前記封止手段の部分に固定する。つまりアクセサリーの取り付け部として、この種の祝儀袋に不可欠の、袋に結んである水引、帯封等の封止手段を利用するものである。アクセサリーは祝儀袋を受け取って直ぐに取り外すことができる。
【００１１】
着脱可能な固定手段として、磁石片又は挟持用のクリップを適用したときは、これらの着脱可能な固定手段が、アクセサリーを封止手段から取り外したのちに、アクセサリーを磁性体に磁気吸着させる手段又は挟まれる相手に取り付ける手段を兼ねる。磁石片を使用するものは、例えば、メモなどを磁気固定するために使用でき、クリップを使用するものは、例えば、メモ類を束ねておく用具になる。このようにして、本考案のアクセサリーには実用上の有用性が備わっている。
【００１２】
また、アクセサリーが、ネックレス、ブレスレットないし頭飾品等のリング状物品であり、かつ、封止手段が切り込みを有している場合には、そのリング状物品を、封止手段に設けた切込みに掛け止め、固定することができる。この場合の封止手段には、帯封状のものが適している。
【考案の効果】
【００１３】
本考案は上記のように構成されかつ作用するものであるから、有用なアクセサリーを袋本体に付属させ、爾後取り外して使用可能とすることにより、記念品としての価値を高められるという効果を奏する。また本考案によれば、単なる記念に止まらず、磁石やクリップなどの実用品としての機能も併せ持つとともに、贈り手の意向をより具体的に表現することが可能になるという効果を奏する。
【考案を実施するための最良の形態】
【００１４】
以下図示の実施形態を参照しつつ本考案をより詳細に説明する。図１は、本考案に係るアクセサリー付き祝儀袋１０の例１を示すもので、１１は内部に紙幣等を収納する袋本体であり、周囲を水引から成る封止手段１２により結んで形成されている。例１のアクセサリー１５は、動物の顔をモチーフとした、やや立体的なブローチ風のものである。
【００１５】
封止手段１２である水引には、着脱可能な固定手段１３として、一方の磁石片１４ａが設けられており、それと磁気吸着可能な相手磁石片１４ｂはアクセサリー１５の裏面に設けられている。固定手段１３である各磁石片１４ａ、１４ｂは、封止手段１２、アクセサリー１５に夫々接着等の手段によって一体に設けられている。
【００１６】
図２は、図１に示したアクセサリー付き祝儀袋１０の変形例を示すもので、内部に紙幣等を収納する袋本体１１の周囲を、水引から成る封止手段１２により結んで形成されており、かつ、封止手段１２に着脱可能な固定手段１３により、図１と同様のブローチ風のアクセサリー１５を設けている点共通している。
【００１７】
変形例では、挟持用のクリップ１６が着脱可能な固定手段１３になっている。図示のクリップ１６は、アクセサリー１５の背面に埋め込み等の手段によって一体に設けられ、アクセサリー１５の背面との間にて、封止手段１２を挟み、固定する。
【００１８】
図３は、本考案に係るアクセサリー付き祝儀袋２０の例２を示すもので、内部に紙幣等を収納する袋本体２１は、周囲を帯封から成る封止手段２２により取り巻いている。図示の帯封は、着脱可能な固定手段２３として上下から切込み２４を入れ、その切込み部分にアクセサリー２５を掛け止め、固定するようにしたものである。
【００１９】
例２に示すアクセサリー２５は、ネックレス、ブレスレットないし頭飾品に用いられるようなリング状物品であり、そのリング状物品を袋本体に巻き付けるように配置するために、封止手段２２に設けた切込み２４に掛け止める構成である。切込み２４の設け方は、リング状物品の形態などの条件に応じて変更することができる。
【００２０】
上記の例１とその変形例から理解されるように、着脱可能な固定手段１３はアクセサリー１５を封止手段１２から取り外したのちに、アクセサリー１５を磁性体に磁気吸着させる手段に利用される。例２に示すアクセサリー２５では、切込み２４に掛け止められるリング状物品という形態が、事後そのままアクセサリー２５を着用する手段になっている。
【００２１】
このように本考案では、祝儀袋１０、２０に付属しているアクセサリー１５、２５を、マスコット等として使用することができるので、記念品付きのようになり、慶事が、より意味深いものとなる。
【図面の簡単な説明】
【００２２】
【図１】本考案に係るアクセサリー付き祝儀袋の例１を示す斜視図である。
【図２】例１の変形例を示す斜視図である。
【図３】本考案係るアクセサリー付き祝儀袋の例２を示すもので、Ａは斜視図、Ｂは外したアクセサリーの斜視図である。
【符号の説明】
【００２３】
１０、２０  祝儀袋
１１、２１  袋本体
１２、２２  封止手段
１３、２３  固定手段
１４ａ、１４ｂ  磁石片
１５、２５  アクセサリー
１６  クリップ
２４  切込み
【図１】
0003127989.tif 000003
【図２】
0003127989.tif 000004
【図３】
0003127989.tif 000005